Podtech/llm-jp-corpus-v4-ja_patent huggingface dataset:
(57)【要約】【課題】本考案は、ごみ受けに深い底を設けることにより  ごみがこぼれ出ないので  安心して作業ができるようにしたチリ取りを  提供する。【解決手段】チリ取り（１）のごみ受けの取り口（２）から奥の方に向かって上りの勾配（３）を付けて高い段差を作り  ごみ受けの取り口（２）よりも奥の方に深い底（４）を設ける。【選択図】  図１
0003111840.tif 000002
【実用新案登録請求の範囲】
【請求項１】
ごみ受けの取り口から奥に向けて上りの勾配を付けて  ごみ受けの取り口より奥に深い底を設けたチリ取り。
【考案の詳細な説明】
【技術分野】
【０００１】  本考案は  チリ取りのごみ受けに  深い底を設けたチリ取りに関する。
【背景技術】
【０００２】  従来、チリ取りのごみ受けには  平らか低い段の付いたチリ取りがあった。
【考案の開示】
【考案が解決しようとする課題】
【０００３】  チリ取りに箒でごみを掃き入れた時  移動する時や再度の作業でチリ取りを床に置こうとすると  チリ取りからごみがこぼれ出るなどの  欠点があった。
【課題を解決するための手段】
【０００４】  本考案は  チリ取りのごみ受けの取り口から奥の方に向かって上りの勾配を付けて高い段差を作り  ごみ受けの取り口より奥の方に深い底を設けることにより  上記課題を解決するものである。
【考案を実施するための最良の形態】
【０００５】  図１、図２に示すように  チリ取り（１）のごみ受けの取り口（２）から奥の方に向かって上りの勾配（３）を付けて高い段差を作り、ごみ受けの奥の方を深い底（４）になるようにする。
【考案の効果】
【０００６】  チリ取りのごみ受けの取り口からごみを深い底に掃き入れたごみは  移動する時や再度の作業時にこぼれ出ないので安心して  移動や再作業ができる。
【図面の簡単な説明】
【０００７】
【図１】  本考案の斜視図である。
【図２】  本考案の側面の断面図である。
【符号の説明】
【０００８】      １  チリ取り
２  取り口
３  上りの勾配
４  深い底
【図１】
0003111840.tif 000003
【図２】
0003111840.tif 000004
(57)【要約】【課題】  特開２００１−１４９２４７に提案された装置は、ポンプ、コントローラー、電池などから成る装置を浴槽縁に引っ掛けて取り付ける方法で、浴槽縁の形状によっては取り付けできない事もあり、散湯には必ずポンプを運転しなければならず不経済である。また、装置本体が洗い場側に出るためスペースをとり人が怪我をする危険性もある。【解決手段】  本発明は水中ポンプを浴槽内に配置し、この水中ポンプを内蔵した吐出管を吸盤式支持具で浴槽内面壁に取付る。その結果浴槽縁の形状を選ぶことなく取付け出来る。  水中ポンプを入切する操作ユニットを浴室外に置くことにより、洗い場のスペースを確保でき安全性も高まる。散湯にはポンプによる強制散湯とポンプ停止後サイホン効果を利用した自然少量散湯の両方法とする。【選択図】図１
0003111837.tif 000002
【実用新案登録請求の範囲】
【請求項１】
浴槽内に設置する水中ポンプと吐出管、吸気口を有する接続ユニットと、これに接続される散湯チューブおよび操作ユニットより構成される散湯装置。
【請求項２】
ポンプの電源として充電式を含む乾電池としたことを特徴とする請求項１の散湯装置。
【考案の詳細な説明】
【技術分野】
【０００１】  本考案は浴槽内の湯を浴室床面に散湯する散湯装置に関する。
【背景技術】
【０００２】  寒冷時の入浴時に浴室床が冷え足の裏が冷たく感じる事から、特開２００１−１４９２４７に、散湯口を備えたポンプ及び電源と起動装置が一体となった装置を浴槽縁に取付け、上記装置に接続された吸入口を浴槽内に入れリモコンスイッチを操作し散湯する構成とした装置が見られる。
【考案の開示】
【考案が解決しようとする課題】
【０００３】  特開２００１−１４９２４７に提案された装置は、ポンプ、コントローラー、電池などから成る装置を浴槽縁に引っ掛けて取り付ける方法で、浴槽縁の形状によっては取り付けできない事もあり、散湯には必ずポンプを運転しなければならず不経済である。また、装置本体が洗い場側に出るためスペースをとり人が怪我をする危険性もある。
【課題を解決するための手段】
【０００４】  本考案は水中ポンプを浴槽内に配置し、この水中ポンプを内蔵した吐出管を吸盤式支持具で浴槽内面壁に取付る。その結果浴槽縁の形状を選ぶことなく取付け出来る。
水中ポンプを入切する操作ユニットを浴室外に置くことにより、洗い場のスペースを確保でき安全性も高まる。散湯にはポンプによる強制散湯とポンプ停止後サイホン効果を利用した自然少量散湯の両方法とする。
【考案の効果】
【０００５】  本考案は浴槽の形状を選ぶことなく、簡単容易に設置取付できる。
散湯はポンプによる強制散湯と、動力を必要としないサイホン効果を利用した自然少量散湯の両散湯方法を行えることにより、経済的かつ省エネルギーである。電源には乾電池を使用するので、低電圧で安全に使用できる。また、水中ポンプを採用したことと、操作ユニットを浴室外に設置することにより浴室洗い場のスペースを取ることがなく安全である。
【考案を実施するための最良の形態】
【０００６】  図１は本考案の浴室床面への散湯装置の構成図である。散湯装置は水中ポンプ１００と、ポンプケーシングをかねた吐出管１０１、接続ユニット１０３、これらの支持部１０６、可とう性を持った吐出チューブ１０８、中間チューブ１０９、散湯チューブ１１０、これらの支持部１０７及び、操作ユニット１１２より構成される。【０００７】  図２は操作ユニットの斜視図である。浴室外または浴室内に設置された操作ユニット１１２の始動スイッチ１１３を操作することにより水中ポンプ１００が始動し散湯を開始する。ポンプの運転を停止するには、停止スイッチ１１４を操作することでポンプは停止する。
始動スイッチ１１３にはスプリングの反発力を応用したタイマー機能を持たせることも出来、この機能により停止スイッチ１１４を操作しなくても、約３０秒後にポンプ１００を自動停止させることが出来る。【０００８】  ポンプ停止後、浴槽内に設置された吐出管上に有る吸気口１０２が浴槽内湯面より下に有る場合、サイホン効果により自然少量散湯を継続する。【０００９】  サイホン効果による自然少量散湯を停止するには吸気口１０２を浴槽内湯面より上になるよう吐出管を上部にスライドさす。但し、散湯チューブ１１０の位置が浴槽内湯面より上の位置に有る場合はサイホン効果による自然少量散湯は行われない。【００１０】  散湯チューブには、湯を吐出する為の穴を少なくとも５箇所設け、そのピッチは先端に行くほど密になるようにする。【００１１】  図３、図４及び図５は、接続ユニットを示す。図において、吐出管１０１の上端部の円周方向の一部を凹ませて吸気口１０２とし、接続ユニット中央部のケーブル取出口１０５よりケーブルを取出す。【００１２】  図６、図７、図８及び、図９は、浴槽内支持部を示す。ポンプケーシングを兼ねた吐出管１０１、接続ユニット１０３は、支持部１０６でガイドされ常時ポンプは浴槽の底部に有り、人手により上部にスライドできる。
図１０は、浴室に設置された散湯装置を示す。
【図面の簡単な説明】
【００１３】
【図１】  本考案の実施形態を示す散湯装置の構成図
【図２】  操作ユニットの斜視図
【図３】  接続ユニット部分の拡大図
【図４】  接続ユニット部分の図３におけるＡ−Ａ間の横断面図
【図５】  接続ユニット部分の図３における縦断面図
【図６】  浴槽内支持部の拡大図
【図７】  浴槽内支持部の図６におけるＢ−Ｂ間の横断面図
【図８】  浴槽内支持部の図６におけるＣ−Ｃ間の縦断面図
【図９】  浴槽内取付状態図
【図１０】  浴室内に設置された散湯装置の斜視図
【符号の説明】
【００１４】    １００・・・水中ポンプ
１０１・・・吐出管
１０２・・・吸気口
１０３・・・接続ユニット
１０４・・・吐出チューブ接続口
１０５・・・ケーブル取出口
１０６・・・浴槽内支持部
１０７・・・浴室内チューブ支持部
１０８・・・吐出チューブ
１０９・・・中間チューブ
１１０・・・散湯チューブ
１１１・・・チューブジョイント
１１２・・・操作ユニット
１１３・・・始動スイッチ
１１４・・・停止スイッチ
１１５・・・電池
【図１】
0003111837.tif 000003
【図２】
0003111837.tif 000004
【図３】
0003111837.tif 000005
【図４】
0003111837.tif 000006
【図５】
0003111837.tif 000007
【図６】
0003111837.tif 000008
【図７】
0003111837.tif 000009
【図８】
0003111837.tif 000010
【図９】
0003111837.tif 000011
【図１０】
0003111837.tif 000012
(57)【要約】【課題】  従来のＴの字型の安全カミソリのハンドル上方の支持部の形状を変更することによって髭剃りを安全且つ滑らかに切れ味能く剃れるようにしたイの字型の安全カミソリを提供する。【解決手段】Ｔの字型安全カミソリのハンドル（３）の上方における支持軸（２）の中間部において、カミソリ刃ホ−ルダ−（１）の左右方向線（４）と当初の支持軸（２）の中心線（５’）とのなす角が約４５度になるように左方向又は右方向に支持軸（２）の左右側に屈曲部（２’）を施すことによって、髭を剃る時に安全且つ切れ味よく滑らかに剃れるようにしたイの字型安全カミソリ。【選択図】  図２
0003111833.tif 000002
【実用新案登録請求の範囲】
【請求項１】
Ｔの字型安全カミソリのハンドル（３）の上方における当初の支持軸（２）の中間部において、中間点（２’’’）より上側の支持軸（２’’）の中心線（５’’）と当初の支持軸（２）の中心線（５’）とのなす角が４０度〜４５度になるように、中間点（２’’’）を中心に当初のカミソリ刃ホ−ルダ−（１）の左右方向線（４）に平行な回転をして、然も当初の支持軸（２）の中心線（５’）に関して左方向角４０度〜４５度、又は右方向角４０度〜４５度になる屈曲部（２’）を支持軸（２）の中間部の左右両側に施したイの字型安全カミソリ。
【考案の詳細な説明】
【技術分野】
【０００１】本考案は、Ｔの字型安全カミソリのカミソリ刃ホ−ルダ−の支持軸を屈曲させることによって、全体的な概形をイの字型にして切れ味を能くした安全カミソリに関するものである。
【背景技術】
【０００２】従来の安全カミソリはＴの字型をしていて、堅い髭を剃る際には切れ味が今一つという感があった。それは、カミソリ刃ホ−ルダ−の左右方向とハンドルの軸方向とを平面上に投射した位置関係が図１のように垂直になっている為である。
【考案の開示】
【考案が解決しようとする課題】
【０００３】  従来の安全カミソリには、次のような問題点があった。
（イ）  Ｔの字型安全カミソリで堅い髭を剃る時の切れ味は、今一つと言う感があったが、それは安全カミソリの形状がＴの字型になっている為に、髭とカミソリ刃の接点と髭の中心とを結ぶ線が、剃り方向と一致しやすい為である。
（ロ）  カミソリ刃と髭との接点と髭の中心とを結ぶ線が、一致している為に剃り方向の線に対して鋭角の４０〜４５度をなすような剃り方ができにくい。
そこで、髭を安全で剃りやすく切れ味をよくするために、本案のようなイの字型の形状をした安全カミソリを提供する。
【課題を解決するための手段】
【０００４】そこで、Ｔの字型安全カミソリのハンドル（３）の上方に位置する支持軸（２）の中間点（２’’’）において、屈曲部（２’）を施すのであるが、その方法は当初の支持軸（２）の中心線（５’）と上半分の支持軸（２’’）の中心線（５’’）とのなす角が約４５度、且つカミソリ刃ホ−ルダ−（１）の左右方向線（４）とハンドル（３）の中心線（５）とのなす角（図２のような平面上への投射角ａ°）も約４５度になるように、支持軸（２）を当該軸の中間点（２’’’）を中心に左回転方向、又は右回転方向に屈曲させたイの字型安全カミソリである。上述の角度は４５度〜５０度の範囲が適切であることは、幾度にも亘る実験の結果である。
尚、上記の角度（ａ°、ｂ°）が４０〜４５度の時は、料理時に包丁で材料を切る際の切削方向角に類似しているから能く切れる。
【考案の効果】
【０００５】本案のイの字型安全カミソリを用いると、従来のような髭剃り時の抵抗を感じなくて比較的軽く滑らかに剃ることができる。又、使用者の左利きや右利きに応じた二種類の形状になっているので、それぞれの使い勝手に応じて使用できる。
【考案を実施するための最良の形態】
【０００６】  以下、本考案の実施の形態を説明する。
（イ）  Ｔの字型安全カミソリのハンドル（３）の上方における支持軸（２）の中間部において、カミソリ刃ホ−ルダ−（１）の左右方向線（４）とハンドル（３）の中心線（５）とのなす角（図２のような平面上への投射角ａ°）が約４５度になるように支持軸（２）の左回転方向、又は右回転方向の屈曲部（２’）を施す。
（ロ）  支持軸（２）の中間点（２’’’）において、支持軸（２）の上半分の支持軸（２’’）の中心線（５’’）と当初の支持軸（２）の中心線（５）とのなす角（図２のような平面上への投射角ｂ°）が約４５度になるように中間点（２’’’）を中心にした左回転方向、又は右回転方向の屈曲部（２’）を支持軸（２）の中間部の両側に施す。
（ハ）  上記のイ、ロにおける角度は、４５度よりも小さくても、又５０度よりも大きくても切れ味と効率が悪くなるので、４５度が理想的である。このことは、幾度にも亘る実験の結果判明した。尚、ａ°とｂ°との和は常に９０度である。又、当該ａ°の限界は４５度〜５０度である。
本案は、以上のような構造形態であるが、その使用方法は従来のようにハンドルの中心線方向に引いて用いる。
【図面の簡単な説明】
【０００７】
【図１】  当初の安全カミソリの平面図
【図２】  本案の平面図
【図３】  当初の安全カミソリの左側面図
【図４】  本案の右側面図
【図５】  髭とＴの字型安全カミソリ刃との位置関係の平面図  ∠ＯＡＦ＝０度  ＡＯとＡＦとは一致している。
【図６】  髭と本案のイの字型安全カミソリ刃との位置関係の平面図  ∠ＯＡＦ＝４５〜４０度  ＡＯとＡＦとは一致していない。この場合、料理時に包丁で材料を切る際の切削方向角に類似しているから能く切れる。
【符号の説明】
【０００５】  １    カミソリ刃ホ−ルダ−
２    当初の支持軸
２’  屈曲部
３    ハンドル
４    ホ−ルダ−の左右方向線
５    ハンドルの中心線
５’  当初の支持軸の中心線
５’’中間点より上側の支持軸の中心線
６    カミソリ刃
７    髭の断面図
８    髭の中心
９    カミソリ刃と髭との接点
１０    カミソリ刃の先端
Ａ    髭とカミソリ刃との接点
Ｏ    髭の中心
ＡＦ    剃り方向
【図１】
0003111833.tif 000003
【図２】
0003111833.tif 000004
【図３】
0003111833.tif 000005
【図４】
0003111833.tif 000006
【図５】
0003111833.tif 000007
【図６】
0003111833.tif 000008
(57)【要約】【課題】  流れの中における模型の振動を簡単、確実に可視化することを得る。【解決手段】  バネ固定片Ａに取付けられた振動模型（１）を、バネ固定片Ｂ部でバネ取付支柱（９）の板バネ取付溝（Ｇ）に垂直に固定し、前記支柱（９）の他端は、下部を固定した垂直支柱（１１）の上部に支持することにより、板バネ（２）の厚みを薄くすることができ、低速な流れの中における模型振動の可視化を可能とする。【選択図】  図１
0003111831.tif 000002
【実用新案登録請求の範囲】
【請求項１】
振動模型（１）を、平行な２枚の板バネ（２）の一端に直線上に固定し、板バネ（２）の他の端を、振動模型（１）が垂直となるようにバネ取付支柱（９）の一端に固定し、バネ取付支柱（９）の他の端は、固定された垂直支柱（１１）に支持する振動実験装置。
【請求項２】
バネ取付支柱（９）を、垂直支柱（１１）に、上下に移動が可能なように取り付け、垂直支柱（１１）の下端を、マグネットブロック（１２）に固定してなる振動実験装置。
【考案の詳細な説明】
【技術分野】
【０００１】  本考案は、空気の流れの中における模型の振動を可視化することを目的とした模型振動実験装置である。
【背景技術】
【０００２】  従来、模型振動実験装置としては、図２に示す、振動模型（１）の両端をコイルバネ（１４）で上下に支え、前記模型を水平に設置し、模型を上下に振動させる実験方法や、図３に示す、振動模型（１）の一端に平行に組み付けた板バネ（２）を固定し、板バネ（２）の他の端を模型固定台（１８）に前記模型が水平となるように固定し、前記模型を上下に振動させる装置がが一般に知られている。
【考案の開示】
【考案が解決しようとする課題】
【０００３】  従来の技術で述べたもののうち前者においては、装置が大がかりとなり、振動模型（１）の交換や装置の移動が困難、また、空気の抵抗により前記模型（１）が流れの後方に移動し、実験に支障をきたす不便さがある。【０００４】  また、後者においては振動模型（１）、バネ固定片Ａ、及び板バネ（２）の重量を前記板バネで支えるため、板バネ（２）の板厚が厚くなり振動実験に不利な影響を及ぼし、さらに前記模型（１）の上下への移動調節が困難である。
【課題を解決するための手段】
【０００５】  本考案は前記の不便な点を取り除くための考案で、図１はバネ固定片Ａ（３）とバネ固定片Ｂ（８）、により平行に維持された板バネ（２）の前記バネ固定片Ａを、振動模型（１）の端に、直線状にボルトＣ（４），で固定し、前記バネ固定片Ｂを振動模型（１）が垂直となるように、水平なバネ取付支柱（９）にボルトＤ（７）で固定し、バネ取付支柱（９）の他端を、垂直支柱（１１）に上下移動が可能なように、ボルトＥ（１０）で締め付ける。【０００６】  また、垂直支柱（１１）の下端はマグネットベース（１２）に固定することが好ましい。
【考案の効果】
【０００７】  図１おいて、振動模型（１）及び、板バネ（２）は垂直にバネ取付支柱（９）に固定されていることにより、前記模型及びバネ固定片Ａなどの重量による板バネ（２）や図２のコイルバネ（１４）の変形がなく、従って板バネ（２）の厚みを薄くすることが可能となり、微小な風力による振動も可視化できる効果がある。【０００８】  また、ボルトＣ（４）一本で振動模型（１）の脱着が可能なために、前記模型の交換が簡単に出来る利点がある。【０００９】  振動模型（１）の高さは、バネ取付支柱（９）を垂直支柱（１１）に沿って移動することにより容易に調整できる効果がある。【００１０】  さらに、前記模型（１）の前後左右移動は、マグネットベース（１２）を金属板（１９）上でスライドさせることにより簡単に調整、固定できる効果がある。【００１１】  また、ボルトＣ（４），ボルトＤ（７）及びボルトＥ（１０）により、振動模型（１），板バネ（２）、バネ取付支柱（９）及び垂直支柱（１１）の組み付け、取り外しが簡単に出来る利点がある。
【考案の実施するための最良の形態】
【００１２】  振動模型の一端と、２枚の平行な板バネの一端を直線上に組み合わせ、前記板バネの他端を振動模型が垂直となるように、水平な支持部材に支持し、水平部材の他端はマグネットベース等に下部を固定した支柱の上部に、上下移動が可能なように支持することにより、模型の振動を可視化する。
【実施例】
【００１３】  考案の実施の形態について図面を参照して説明する。  図１において、振動模型（１）は、バルサ材または、厚み０．５ｍｍ〜１．０ｍｍの樹脂材で軽量に加工し、バネ固定片Ａ，Ｂで平行に組み付けた２枚の板バネ（２）（バネの厚み、幅の寸法は振動模型の形状、大きさによって異なる）のバネ固定片Ａに前記振動模型が直線となるように、ボルトＣで固定する、なお、バネ固定片Ｂは振動模型（１）が垂直となるように、バネ取付支柱（９）に、ボルトＤで固定する。【００１４】  また、バネ取付支柱（９）の一端には、垂直支柱（１１）の通る穴Ｆを設け、さらに穴Ｆからバネ取付支柱（９）の端面間に溝Ｈを設けることにより、ボルトＥによって、バネ取付支柱（９）を垂直支柱（１１）の任意の高さに固定できる。【００１５】  また、前記垂直支柱（１１）の下端は、マグネットベース（１２）の下面に垂直となるように、マグネットベース（１２）の上面に固定する。【００１６】  マグネットベース（１２）は、振動模型実験の振動に耐えることのできる、大きさと重量のある、金属板（１９）に置き、マグネットのＯＮ、ＯＦＦで脱着可能とする。
【図面の簡単な説明】
【００１７】
【図１】本考案による振動模型実験装置を風洞吹出し口に設置した斜視図である。
【図２】従来の、コイルバネを使用した振動模型実験装置を風洞吹出し口に設置した斜視図である。
【図３】従来の、板バネを使用した振動模型実験装置を風洞吹き出し口に設置した斜視図である。
【符号の説明】
【００１８】  １  振動模型
２  板バネ
３  バネ固定片Ａ
４  ボルトＣ
５  風洞吹き出し口
６  流れの方向
７  ボルトＤ
８  バネ固定片Ｂ
９  バネ取付支柱
１０  ボルトＥ
１１  垂直支柱
１２  マグネットベース
１３  模型の振動方向
１４  コイルバネ
１５  垂直板
１６  水平板
１７  バネ取付板
１８  模型固定台
１９  金属板
Ｆ  支柱通し穴
Ｇ  板バネ取付溝
Ｈ  締め付け用溝
【図１】
0003111831.tif 000003
【図２】
0003111831.tif 000004
【図３】
0003111831.tif 000005
(57)【要約】【課題】本考案は、蜜柑の袋を容易に開けることを課題とし、鋏の刃の先端の保護と安全性も課題とした。【解決手段】鋏の一方の身の幅を小さくしかつ先端を鋭利にして、蜜柑の袋に容易に任意の深さまで突き刺せるようにし、他方の身の幅は広くして一方の身より身の長さを長くしてその先端に丸みを付けたもので、蜜柑の袋の皮を容易に切って開くことが出来るようにするとともに、鋏を閉じたときは、鋭利な先端の保護と人体等への安全に配慮した鋏となるようにした。【選択図】            図１
0003111835.tif 000002
【実用新案登録請求の範囲】
【請求項１】
一方の身の幅が、他方の身の幅より小さくかつ、一方の身の先端が鋭利になっている蜜柑の袋開け鋏。
【請求項２】
前記他方の身が、一方の身より長くなっていてかつ、その先端に丸みが付ついている請求項１記載の蜜柑の袋開け鋏。
【考案の詳細な説明】
【技術分類】
【０００１】この考案は、蜜柑の袋等を開けるときに用いる鋏に関するものである。
【背景技術】
【０００２】従来の一般的な鋏は、左右互いに対象でかつ身の幅が広いので、先端が鋭利でも刃先を、突き刺す対象の充分な深さまで突き刺せるようにはなっていなかった。また、鋏を閉じた状態では鋭利な先端がそのままになっていて損傷の恐れと人体等への危険性があった。
【考案の開示】
【考案が解決しようとする課題】
【０００３】蜜柑の袋を開いて食したりする場合、ナイフや包丁などで切って開けているため、手軽に開けることは出来なかった。また、開けるための鋏状のものもなかった。
そこで、この考案は、蜜柑の袋等を容易に且つ快適に切り開らくことが出来また、鋏を閉じた時は、その先端を保護して損傷と危険性を無くすような鋏とすることによって問題の解決をしようとするものである。
【課題を解決するための手段】
【０００４】以上の課題を解決するために、本考案が提供する蜜柑の袋開け鋏は、一方の身の幅が、他方の身の幅より小さくかつ、一方の身の先端が鋭利になっているものである。（以下、これを第一考案  という。）
また、前記他方の身が、一方の身より長くなっていてかつ、その先端に丸みが付ついているものである。（以下、これを第二考案  という。）
【考案の効果】
【０００５】第一考案によれば、直線的でない、また厚さなども均一でない蜜柑の袋の任意の場所に、鋭利な先端を持つ身を任意の深さまで突き刺し、他方の身を用いて鋏の機能により袋の皮を切り開いて行くことが容易に出来るようにすることにより問題を解決している。
また、第二考案によれば、鋏の身の一方は鋭利な先端になっており、損傷しやすいことおよび人体等を傷つける恐れがあるので、他方の身の長さを一方の身より長くしてその先端に丸みをつけることにより、一方の鋭利な先端を覆うようにして鋭利な先端の保護と人体等の安全を保持できるようにしたものである。
【考案を実施するための最良の形態】
【０００６】蜜柑の袋開け鋏は、一方が鋭利な先端を持つ幅の小さい身と、他方が幅が広く前者より長い身からなる鋏で、互いの身は重ねられた交差部でピンで繋がれていて、持ち手に掛けた指を動かすことにより２つの刃を開閉してその刃に挟んだものを切断できる構造となっている。
蜜柑の袋を開けるときは、鋏を開いて鋭利な先端を蜜柑の袋に突き刺してから鋏の機能で袋の皮を切ってゆく。切ったあとは、鋏を外してから袋の皮を広げて中身を露出させることにより袋の中を容易に食することが出来る。
また、鋏を閉じたとき鋭利な先端は、他方の長い身の中に納まっていることにより、先端が損傷しないようにまた、人体等への安全が保てるようになっている。
【実施例】
【０００７】以下、添付図面に従って実施例を説明する。鋏本体５及び６により構成される従来の鋏では、その先端５ａ及び６ａが鋭利にはなっているが、身の幅が広いためＢ−Ｂまでの浅い部分までしか突き刺せなかった。ここに提案する考案では、身の幅が小さく鋭利な先端１ａがある身１ｃを持つ鋏の本体１と、身の幅が広く、本体１より長く丸みを持つ先端２ａがある身２ｃを持つ鋏の本体２とを、本体１及び本体２の孔３にピンを用いて枢着して鋏とし、本体それぞれの持ち手１ｄ及び２ｄに指を掛けて鋏の身１ｃ及び２ｃを開き、鋭利な先端１ａを蜜柑の袋の任意の深さＡ−Ａまで突き刺してから、それぞれの刃１ｂ及び２ｂでそこに挟まれた蜜柑の袋の皮を、持ち手１ｄ及び２ｄにかけた指を動かすことにより、切断して容易に袋を切り開くことが出来る。【０００８】蜜柑の袋開け鋏を閉じたときは、鋭利な先端を持つ身１ｃより丸みを持つ先端を持つ２ｃ身の方がその差４の分だけ長くなっている。このため先端１ａは先端２ａより飛び出ることなく鋭利な先端１ａの保護と、鋭利な先端１ａによる人体等への安全を保持できるようになっている。【０００９】この考案は突き刺すことが出来る身を装備した鋏なので、蜜柑の袋のみならず、封筒、紙袋、布袋など一般に袋状のものを開けることにも使用できる。
【図面の簡単な説明】
【００１０】
【図１】本考案の蜜柑の袋開け鋏の実施例を示す正面図である。
【図２】従来の鋏を示す正面図である。
【符号の説明】
【００１１】      １．本体
２．本体
３．孔
４．身の長さの差
１ａ．鋭利な先端
１ｂ．刃
１ｃ．身
１ｄ．持ち手
２ａ．丸みを持つ先端
２ｂ．刃
２ｃ．身
２ｄ．持ち手
５．本体
５ａ．先端
６．本体
６ａ．先端
Ａ−Ａ．突き刺し深さ
Ｂ−Ｂ．突き刺し深さ
【図１】
0003111835.tif 000003
【図２】
0003111835.tif 000004
(57)【要約】【課題】苔球造り盆栽及び球造り盆栽に於いて、保管や展示で盆栽が転倒しないようにし且つ、苔球造り盆栽等の通気性や保湿性を保つ。【解決手段】従来の四角形や丸型の受け皿に１０ミリから２５ミリの針状の突起〔Ｂ〕を一体成型した受け皿〔Ａ〕に苔球造り盆栽等〔Ｃ〕の丸形底部を突起〔Ｂ〕に５ミリから１０ミリ突き刺す事で転倒防止を図り、且つ、受け皿に水を盆栽底部が浸からない程度に入れておくことにより、水の蒸発で保水性及び通気性が保たれる。【選択図】図１
0003111200.tif 000002
【実用新案登録請求の範囲】
【請求項１】
四角形や円形等の容器内面に１０ミリから２５ミリの針状の突起を一体成型した受け皿
【考案の詳細な説明】
【技術分野】
【０００１】
本考案は、苔球造り盆栽及び球造り盆栽等の保管や展示を容易にならしめる、受け皿に関するものである。
【背景技術】
【０００２】
従来、苔球造り盆栽などの保管や展示等には水の漏れない受け皿や鉢、盆栽棚にじか置きしていた。
【考案の開示】
【考案が解決しようとする課題】
【０００３】
しかしながら、前記のような置き方では苔球造り盆栽の底部は水に浸かつたり、乾きすぎなどによる根腐れや枯れ込み等の不都合があった。
【０００４】
苔球造り盆栽や略球形造り盆栽の底部は丸くなっているがゆえに良くこけて植物を痛める不都合がある。
【０００５】
本考案の受け皿は、このような不都合に着目し考案されたものであり、保管時の転倒防止と保湿性、通気性を向上させ、根腐れや枯れこみを防ぐ為の受け皿である。
【課題を解決するための手段】
【０００６】
本考案は、苔球造り盆栽や球形造り盆栽等の底部が丸みをおびた盆栽が転倒しないように受け皿の内面に高さ１０ミリから２５ミリの針状突起を一体成型した受け皿に丸形盆栽の底部を突き刺す事により転倒防止を図り、且つ、受け皿に絶えず水を盆栽底部が浸からない程度に水を保つ事で保湿性、通気性を向上させる受け皿を提供する。
【考案の効果】
【０００７】
本考案は、苔球造り盆栽や球形造り盆栽の保管を受け皿内面の針状突起に約５ミリから１０ミリ突き刺し保管することで転倒の防止が図れ、且つ、受け皿に植物が浸からない程度の水を保つ事で、保湿性や通気性を持たせる効果がある。
【考案を実施するための最良の形態】
【０００８】
以下、本考案の実施形態を説明する。
【０００９】
図１は受け皿斜視図である、１０ミリから２５ミリの針状突起〔Ａ〕を一体成型した受け皿に苔球造り盆栽等〔Ｂ〕を突き刺し保管する受け皿である。
【図面の簡単な説明】
【００１０】
【図１】受け皿に苔球造り盆栽を刺した斜視図である。
【符号の説明】
【００１１】
〔Ａ〕針状突起付き受け皿
〔Ｂ〕針状突起である。
〔Ｃ〕苔球造り盆栽である。
【図１】
0003111200.tif 000003
(57)【要約】【課題】    本考案はエプロン本体のループ式首掛け紐中央部背面部分にポケットを設け、当該ポケットの中に使い捨てカイロを挿設することにより、身体の健康を促進する。【解決手段】    本考案は主婦や職場の従業員がエプロンを着用する際、エプロン本体の首掛け紐がループ式になっているため、またマジックテープをも使用しているため短時間で装着可能とし、且つ、ループ式首掛け紐中央部背面部分の長方形ポケットの内部に使い捨てカイロを挿設し、襟足を保温することにより、身体の健康を促進するだけでなく、体全体の保温に役立つ。【実用新案登録請求の範囲】
【請求項１】
エプロン本体のループ式首掛け紐の中央部分の幅を７．２ｃｍと広く取り、当該ループ式首掛け紐中央背面部の襟足部分に長方形ポケットを設け、当該長方形ポケット布地を遠赤外線素材にするとともに、当該長方形ポケットの中に使い捨てカイロを、挿脱自在又は、貼剥自在としたところを特徴とする襟足保温エプロン
【考案の詳細な説明】
【技術分野】
【０００１】  本考案は、ループ式首掛け紐中央部背面部分に長方形ポケットを設けた、エプロンに関するものである。
【背景技術】
【０００２】  調理する際、エプロンはエプロンだけとして装着し、襟足部を温めたい時は、衣服・下着等に、使い捨てカイロを貼付用のみ貼るなどして別々に使用していた。
【考案の開示】
【考案が解決しようとする課題】
【０００３】  主婦が日中家にいる時や職場の従業員がエプロンを装着しながら、襟足の保温機能を一体化することにより、身体の健康促進が可能となり、前述の欠点を解決しようとするものである。
【考案を解決するための手段】
【０００４】  本考案は、エプロン装着により調理作業等を可能にし、且つ、ループ式首掛け紐背面に長方形ポケットを設け、その内部に使い捨てカイロを挿脱自在・貼剥自在となるようにし、夏季、冷房の室内や店内等で冷えた体の保温や冬季の低い室温での体の保温を、同時に可能とすることにより問題点を解決している。
【考案の効果】
【０００５】  上述のように、本考案の襟足保温エプロンは調理作業や仕事中、エプロンを掛けることは勿論、エプロン本体の、ループ式首掛け紐中央部背面部分に、長方形ポケットを設けたので、使い捨てカイロを挿設でき、しかも、使い捨てカイロを使用しない時は、ポケット布地が遠赤外線素材となっているため、微粒子天然鉱石による保温・防湿・清潔・波動効果等々として役立つ。
【図面の簡単な説明】
【０００６】
【図１】  本考案の正面図
【図２】  ループ式首掛け紐の背面平面図
【符号の説明】
【０００７】１  ループ式首掛け紐
２  飾りボタン
３  マジックテープ
４  通常のポケット
５  遠赤外線布地による長方形ポケット
【図１】
0003111155.tif 000002
【図２】
0003111155.tif 000003
【手続補正書】
【提出日】平成17年1月26日(2005.1.26)
【手続補正１】
【補正対象書類名】図面
【補正対象項目名】全図
【補正方法】変更
【補正の内容】
【図１】
0003111155.tif 000004
【図２】
0003111155.tif 000005
(57)【要約】      （修正有）【課題】自分で手軽に手足の洗浄を可能にする。【解決手段】生体洗浄用のスポンジなどを応用し、これを固定し自分で持つ必要をなくす手段と、空洞を設け手や足を挿入するための手段とを特徴とし、固定することにより自分で自由に洗浄可能となる。【選択図】図１
0003111158.tif 000002
【実用新案登録請求の範囲】
【請求項１】
手型・足型に合わせた空洞を設けて手や足を挿入する為の手段と、自分自身で手軽に手足の洗浄を可能にするための固定手段とを特徴とする生体洗浄用具
【考案の詳細な説明】
【技術分野】
【０００１】
本考案は、自分自身で手軽に手足の洗浄を可能にするための洗浄用具に関するものである。
【背景技術】
【０００２】
本考案では既に利用されている生体洗浄用のスポンジ・海面・パイル生地などを活用し、一定の保水性と泡立ちの良い状態を考慮して全体及びくり貫き部分を整形し、自分自身で手軽に手足の洗浄を可能にする事を目指している。
【０００３】
従来、半身麻痺などの不自由な状態においては、自分自身での手洗いなどは困難・不十分になりがちである。このような場合、家族やホームヘルパーなどの介助を得て行うことが一般的である。しかしながら、自身の思うやり方など自立を目指す人ほど不便さを感じてしまう。
【考案の開示】
【考案が解決しようとする課題】
【０００４】
不十分になりがちな手足の洗浄を洗浄器や殺菌・乾燥機などの設備を必要とせず、洗浄用具を活用し手軽に洗浄する事である。
【課題を解決するための手段】
【０００５】
本考案は、通常は片手に持って使用する生体洗浄用のスポンジなどを活用し（図１）、底部にマジックテープなどの固定装置（図２b、図３a）により固定する手段と、手型・足型に合わせた空洞（図１a、図２a）を設けて手や足を挿入する為の手段とを特徴とする。
【考案の効果】
【０００６】
半身麻痺などの不自由な方にとって自信を持つことが大事であり、それにより前向きな生活を送ることが重要である。利用者は特別な装置無しに誰にも頼ることなく、固定することで自身が自由に洗浄可能となる。自分で洗浄が可能となる事で自由度が増し、生活に自信を持つことにつながる。
【実施例１】
【０００７】
具体的には、洗面台や浴室の洗い場などに簡単に固定し手足を洗浄する事で、何時でも何処でもその機能を発揮する。洗浄剤は固形でなくプッシュ式の液・泡状のものを活用し、別途、固定装置を用意して固定または微振動を発する事が有効と思われる。
【図面の簡単な説明】
【０００８】
【図１】洗浄用具を上部より鳥瞰した図で、手足が挿入出来るよう、くり貫かれている。
【図２】洗浄用具の側面図であり、底部にはマジックテープなどの固定手段を持つ。
【図３】洗浄用具の底面図であり、マジックテープなどの固定手段を持つ。
【図１】
0003111158.tif 000003
【図２】
0003111158.tif 000004
【図３】
0003111158.tif 000005
【手続補正書】
【提出日】平成17年3月9日(2005.3.9)
【手続補正１】
【補正対象書類名】実用新案登録請求の範囲
【補正対象項目名】全文
【補正方法】変更
【補正の内容】
【実用新案登録請求の範囲】
【請求項１】
生体洗浄用のスポンジ・海綿・パイル地を洗浄・清浄・摩擦の目的別に張り合わせた素材に、手や足を挿入する事で生体と適度な摩擦を起こす手型・足型の形状に整形された空洞を有し、これをマジックテープなどで既設の洗面台などや専用の微振動を発する固定台などに固定する事が可能な固定手段を有する事を特徴とする生体洗浄用具
(57)【要約】      （修正有）【課題】スクール椅子座布団型防災頭巾本体に、徹底した防炎効果を持たせ装備品も簡単に脱着でき、より早く安全に災害からに避難できる防災頭巾である。【解決手段】防災頭巾本体の表面１に防炎布以外の素材は使っておらず内側２は皮膚との接触面に違和感が無いよう綿を使い頭部３に低反発性のウレタンを使う事で座布団時の座り心地の良さと災害時の落下物から頭部の衝撃を緩和し火災からの火の粉やガラスの破片の飛散等から肩や背中を守ってくれる。ミトン手袋５はマジックテープ（登録商標）で貼付してあり低年齢の児童でも脱着が簡単で、ポケット６にマスクや携帯毛布などを装備して避難時に５と６を利用することで従来品の欠点を解決しようとするものである。【選択図】図１
0003111153.tif 000002
【実用新案登録請求の範囲】
【請求項１】
スクールチェア専用の座布団型防災頭巾で、平時は座布団として利用している。表側は全て防炎布で作られており災害の時、低年齢の児童にも短時間に装備でき軽量で内側には防炎布使いのミトン手袋がマジックテープ（登録商標）で装備してある。又内側にメッシュ素材で見やすく間口がゴムを使用したマスクや携帯毛布が収納出来る仕切り付きのポケットが付いている防災頭巾である。
【考案の詳細な説明】
【技術分野】
【０００１】  本考案は防災頭巾本体に、多目的な機能装着品を取り付けた物である。
【背景技術】
【０００２】  平時に防災頭巾を座布団として利用している学校多いが、災害時の火災やガラスの破片の飛散等への対策が成されていない為、より安全に避難できるように考案した。また非難後の寒さ対策も考え考案したものである。
【考案の開示】
【考案が解決しようとする課題】
【０００３】  着席時間が多い学校生活において座布団として座り心地良く、災害時も避難場所へ安全に避難する事ができる更に低年齢の児童にも簡単に装着できる防災頭巾であり、従来品の欠点を解決しようとするものである。
【課題を解決するための手段】
【０００４】  本考案は、火災による防災頭巾本体への引火を防止する為に、防災頭巾表面及び装備してあるミトン手袋は全て防炎布を使用した。又ガラス破片や落下物かの衝撃を緩和する為に、頭部に低反発性ウレタンを挿入した。内側ポケットは、マスクや携帯毛布等が収納しやすいように仕切りを施し、見分けやすいメッシュ素材を使用し間口はゴムを使用して出し入れが容易に出来るようにしてある。
【考案の結果】
【０００５】  上述の様に、本考案のスクールチェア座布団型防災頭巾は徹底して防炎布を使用し、移動の負担にならぬよう軽量で簡単な脱着を実現し、安全に避難が行えるものとなっている。
【考案を実施するための最良の形態】
【０００６】  座布団の内側からマント部を引き出し、マジックテープ（登録商標）で貼付しているミトン手袋を外しメッシュポケットからマスクを取り出す。防災頭巾を頭から被り頸部のマジックテープ（登録商標）が付いたフックを留める。付属のミトン手袋及びマスクを装着することで、より安全に、避難できる。
【実施例】
【０００７】  以下、添付図面に従い一実例を説明する。
１・４・５は全て防炎布で出来ており火災による防災頭巾への引火を防止している。２は装着時に皮膚との接着面に違和感が無いように綿生地を使用している。３は低反発性ウレタンを使用し頭部の衝撃を緩和する効果を持たせた。４は留めフックを簡単に装着できるよう内側にマジックテープ（登録商標）を貼付した。５は取り出しやすいように２にマジックテープ（登録商標）に貼付してある。６は防災頭巾の内側に間口をゴム使用で、メッシュ素材のポケットに仕切りをつけ装備して、マスク及び携帯毛布等の避難用品が、見やすく且つ取り出しやすく収納できる。【０００８】  平時、座布団に戻す時は、７の中心線を内側に折込み長方形にしてから３の部分の内側に３の大きさまで折込み座布団に戻し８のケースに入れる。
【図面の簡単な説明】
【０００９】
【図１】本考案のスクールチェア型防災頭巾の内側正面図
【図２】本防災頭巾の左側側面図
【図３】本防災頭巾の座布団時に戻す時の図
【図４】本防災頭巾のケース
【符号の説明】
【００１０】１  防災頭巾表面  防炎布  側面縦５５０ミリ×横３００ミリ
２  防災頭巾内側  綿生地  側面縦５５０ミリ×横３００ミリ
３  頭部          低反発性ウレタン  厚さ２０ミリ  長さ５２０ミリ×横２８０ミリが挿入してある。
【符号の説明】
【００１０】  ４  頸部留めフック  防炎布  縦５０ミリ×横１００ミリ
５  ミトン手袋      防炎布
６  ポケット        縦１５０ミリ×横２５０ミリ
７  防災頭巾頭部及び背中部分の三角形  高さ３７０ミリ×横５００ミリ
８  防災頭巾ケース  縦３００ミリ×横３００ミリ
９  ゴム            幅２５ミリ
１０  ゴム            幅６ミリ
１１  マジックテープ（登録商標）
【図１】
0003111153.tif 000003
【図２】
0003111153.tif 000004
【図３】
0003111153.tif 000005
【図４】
0003111153.tif 000006
【手続補正書】
【提出日】平成17年3月2日(2005.3.2)
【手続補正１】
【補正対象書類名】実用新案登録請求の範囲
【補正対象項目名】全文
【補正方法】変更
【補正の内容】
【実用新案登録請求の範囲】
【請求項１】
頂部で折り曲げられた一対の長方形の防災頭巾本体と、
前記防災頭巾本体の頂部の両側に縫いつけられ、前記長方形の防災頭巾本体の長さ方向の半分の長さを有する緩衝部材と、
前記一対の防災頭巾本体の一方の側縁間を連結する三角形状の布部材とを有し、
平時には、前記三角形状の布部材を前記防災頭巾本体の内側に折り込み、前記防災頭巾本体を２つに折って座布団にできることを特徴とする防災頭巾。
【請求項２】
前記防災頭巾本体の内側に、ミトン手袋を着脱自在に装着するようにしたことを特徴とする請求項１に記載の防災頭巾。
【請求項３】
前記防災頭巾本体の内側に、ポケットを設けるようにしたことを特徴とする請求項１に記載の防災頭巾。
(57)【要約】［課題］建築現場等でおこる釘踏み抜き事故を防止するため、軽くて強くて、かつ通気性のある中敷きを提供する。［解決手段］薄い焼き入れ鉄板を一般中敷き型に裁断し、近年可能になった放電加工によって微細な穴を開け通気性を持たせる。［選択図］図１【実用新案登録請求の範囲】
【請求項１】
釘等によって突き破れない強度と、湾曲しても元に戻る弾力性と、通気のための微細な多数の穴とを有した金属性の部材を使用し作業靴、運動靴、地下足袋などの形状に合わせて切断された中敷きで、靴底と通常の中敷きの間に敷いて使用し、建築現場等での釘の踏み抜きを防止する。
【考案の詳細な説明】
【考案の詳細な説明】
［考案の属する技術分野］
【０００１】本考案は靴などの普通の中敷きの下に敷いて使用し、釘の踏み抜きを防止する、強度と弾力性と耐久性そして＝通気性＝を持った部材に関する。
［従来の技術］
【０００２】過去、似た考案に、薄い鉄板を中敷き内にサンドウィッチのように挟んだ型の案はあるが、通気性に対する配慮はされていないし、靴を替えると中敷きごと替えなければならない難点があった。
［本考案が解決しようとする課題］
【０００３】本考案は釘踏み抜き防止の金属部材に
１  充分な強度と弾力性を持たせ
２  なおかつ微細な穴を多数開けることによって通気性をも持たせ
３  簡易で靴を取り替えても容易に本部材のみを交換できる。
［課題を解決するための手段及び実施の形態］図１は本部材の説明図で
【０００４】充分な強度と、かつ湾曲しても元の形状に戻る弾力性を持たせるため＝ハガネ＝と呼ばれている＝焼き入れ鉄板＝を使用する
厚さは０．３〜０．５ｍｍ程度の必要最小限の厚さに止める。
【０００５】通気性を持たせるために、平面図ａに示したごとく５００ミクロン前後の微細な穴を多数開ける。この穴によって通気性は出て来るが、逆にこの程度の穴では、建築現場に存在するような釘などでは貫通することは不可能である。
【０００６】普通の中敷きの形に裁断してあるので足のサイズに合わせて用意すれば、靴を取り替えても容易に替えた靴の中敷きの下に敷く事によって半永久的に使用することが出来る
又、地下足袋に使用する際は、布などで包んで使用することによりすべりを防ぐことが出来る。
［考案の効果］
【０００７】本考案の中敷き部材を使用することにより釘の踏み抜きを絶えず心配することなく建築現場を歩きまわる事とができ踏み抜きの怪我を防止できる。
【図面の簡単な説明】
【０００８】［図１］本考案の釘踏き防止用中敷きの実施例を示す平面図である。
【図１】
0003111159.tif 000002
【手続補正書】
【提出日】平成17年3月17日(2005.3.17)
【手続補正１】
【補正対象書類名】実用新案登録請求の範囲
【補正対象項目名】全文
【補正方法】変更
【補正の内容】
［書類名］  実用新案登録請求の範囲
［請求項１］
釘によって突き破れない強度と、履いている靴や地下足袋に応じて作業や歩行により湾曲しても元に戻る弾力性と、通気のための５００ミクロン程度の微細な穴を多数有した、厚さ０．４ｍｍ程度の＝焼き入れ鉄板＝を使用し、作業靴、運動靴、地下足袋などの形状に合わせて切断された中敷きで、靴底と中敷きの間に挟んで使用し、建築現場等での釘の、踏み抜きを防止するための金属性の中敷き。
(57)【要約】【課題】筒状のパイプまたはブラケットで作られた、二輪車盗難防止係留アンカーの安全性、見栄え、防錆性を簡単な方法で、確実に向上させる。【解決手段】係留アンカー１のアンカー工具差込穴１ｂの周囲を覆う、カバープレート６eを、係留アンカー１をコンクリート地面などに取り付けた後、係留アンカー本体１に貼り付ける。または係留アンカー１の全体を覆う樹脂成型のカバー６ｆに、カバーフック部６ｈを設け、係留アンカー本体１側にカバー取り付け穴６ｇを設け、カバー６ｆを係留アンカー本体１に取り付ける。【選択図】図３
0003111124.tif 000002
【実用新案登録請求の範囲】
【請求項１】
二輪車等の盗難防止のため、地面または、壁面等の固定物に、ループ鍵を通して係留できるよう、本体を筒状のパイプ、またはブラケットで構成し、その内側から固定物に接する側に、アンカーネジ穴を設け、反対側に、アンカー工具差込穴を設けた盗難防止係留アンカーにおいて、本体を固定物に、取り付けネジなどで取り付けた後、アンカー工具差込穴を覆い隠すシート状のカバープレートを、アンカー本体に張り付けるようにしたことを特徴とする、二輪車等の盗難防止係留アンカー。
【請求項２】
二輪車等の盗難防止のため、地面または、壁面等の固定物に、ループ鍵を通して係留できるよう、本体を筒状のパイプ、またはブラケットで構成し、その内側から固定物に接する側に、アンカーネジ穴を設け、反対側に、アンカー工具差込穴を設けた盗難防止係留アンカーにおいて、本体を固定物に、取り付けネジなどで取り付けた後、アンカー工具差込穴を含め、アンカー全体を覆い隠す樹脂成型のカバーを、アンカー本体に取り付けるようにしたことを特徴とする、二輪車等の盗難防止係留アンカー。
【考案の詳細な説明】
【技術分野】
【０００１】
本考案は、施錠してある、二輪車、電動三輪車等の盗難を防止する、係留アンカーに関するものである。
【背景技術】
【０００２】
二輪車の盗難件数は現在横ばい状況であるが、検挙率は１０%以下と低いため、盗難にあって、戻ってくる可能性も低い。また盗難にあった自転車においては、その約６割は鍵をかけていて盗難にあっており、もはや鍵をかけるだけでは、十分な対策とはいえない。
【０００３】
これは、鍵をかけた二輪車を、そのままトラック等に載せて持ち去り、自宅等に持ち帰り、改めて鍵を壊してしまうという方法である為、通常の鍵をかけただけでは、防ぐことは出来ない。
【０００４】
この対策として、固定物にループ鍵を使って二輪車を係留する方法があるが、ループ鍵を通して固定できる物が無い場合、リング状の係留アンカー等を設置する方法もあるが、コンクリートを壊し、係留アンカーを埋め込み、再度コンクリートを流し込むほどの工事が必要であった。
【０００５】
又アンカー取り付け穴とアンカー工具差込穴を設け、コンクリートなどの地面に、コンクリートネジで固定した筒状のアンカーに、ループ鍵を通して、２輪車を係留する方法が、最も確実で簡単な方法であるが、１アンカー工具差込穴が開いたままでは見栄えが悪い、２アンカー工具差込穴に子供が指を突っ込み、怪我をする可能性がある、３アンカー工具差込穴の周囲の塗装がはがれやすくさびやすい、などの若干の不具合もあった。
【特許文献１】特開２０００―４５６０４号公報
【特許文献２】実登３１０２６７２号公報
【考案の開示】
【考案が解決しようとする課題】
【０００６】
解決しようとする問題は、係留アンカーのアンカー工具差込穴による、見栄えの悪さ、子供の怪我、塗装のはがれなどをなくすことである。
【課題を解決するための手段】
【０００７】
本考案は、係留アンカー本体のアンカー工具差込穴周辺を覆うよう、カバープレートを本体に貼り付ける、またはアンカー全体を覆う樹脂成型のカバーを、本体に取り付けることを特徴とする。
【考案の効果】
【０００８】
係留アンカー本体のアンカー工具差込穴周囲にカバープレートを貼り付ける、または樹脂成型のカバーを取り付けることにより、アンカー工具差込穴が、ふさがれ、係留アンカー全体の見栄えがよくなり、子供の指も入らないので怪我をすることもなくなり、塗装のはがれもなくなる。
更にカバープレートまたは、樹脂成型のカバーに意匠を施せば、見栄えがいっそうよくなることもあげられる。
【考案を実施するための最良の形態】
【０００９】
筒状構造の係留アンカーの安全性、見栄え、防錆性の向上を、カバープレートを貼り付ける、または樹脂成型のカバーを取り付ける、という容易な方法で実現できた。
【実施例１】
【００１０】
本考案は図３、図４、図５のように、本体を、筒状のパイプで構成している係留アンカーの１のアンカー工具差込穴１ｂの周囲を覆うような、シート状のカバープレート6eを、係留アンカー本体１に張り付けるようにしている。
【実施例２】
【００１１】
図６、図７、図８は第２の実施例を示しており、本体を筒状断面のブラケットで構成している係留アンカー１に、カバー取り付け穴６ｇを設け、この係留アンカー全体を覆うように、カバーフック部６ｈを設けた樹脂成型のカバー６ｆを、カバー取り付け穴６ｇにはめ込むようにして、係留アンカー１に取り付けるようにしている。
【産業上の利用可能性】
【００１２】
本考案は筒状の係留アンカーの安全性、見栄え、防錆性を簡単な方法で向上させるため、利用範囲が格段に向上する。
【図面の簡単な説明】
【００１３】
【図１】従来の係留アンカーの取り付けを示す構造図である。
【図２】従来の係留アンカーの構造を示す斜視図である。
【図３】本考案の係留アンカーを説明した斜視図である。（実施例１）
【図４】図３のＡ−Ａ断面図である。
【図５】カバープレートを貼り付ける前の、本考案の斜視図である。（実施例１）
【図６】本考案の別の実施例を示す斜視図である。（実施例２）
【図７】図６のＢ−Ｂ断面図である。
【図８】樹脂成型のカバーを取り付ける前の、本考案の別の実施例を示す斜図である。（実施例2）
【符号の説明】
【００１４】
１    係留アンカー
１a  アンカーネジ穴
１b  アンカー工具差込穴
１ｃ  アンカー取り付け座
２    取り付けネジ
３    二輪車車輪
４    固定物
５    ループ鍵
６e  カバープレート
６ｆ  カバー
６ｇ  カバー取り付け穴
６ｈ  カバーフック部
【図１】
0003111124.tif 000003
【図２】
0003111124.tif 000004
【図３】
0003111124.tif 000005
【図４】
0003111124.tif 000006
【図５】
0003111124.tif 000007
【図６】
0003111124.tif 000008
【図７】
0003111124.tif 000009
【図８】
0003111124.tif 000010
(57)【要約】      （修正有）【課題】携帯電話のスピーカーを耳に当てた際にマイクが口の位置からずれることがないようにする。【解決手段】携帯電話１のスピーカー２を上部コーナーに位置させ、スピーカー２からの発声をスイッチ４で切り替えることにより、マイク３と口の位置がより近い状態で通話することが可能となる。【選択図】図１
0003111147.tif 000002
【実用新案登録請求の範囲】
【請求項１】
（１）携帯電話のスピーカー位置が従来の携帯電話上部中央ではなく両コーナーにあることを特徴とする携帯電話。また、音声を発するスピーカーをスイッチにより切替えることが可能な携帯電話を含む。
【考案の詳細な説明】
【技術分野】
【０００１】本考案は携帯電話で通話するための利用者利便性向上に関する。
【背景技術】
【０００２】人間工学に関する。
【考案の開示】
【考案が解決しようとする課題】
【０００３】従来の携帯電話は、スピーカー部が携帯電話の上部中央一箇所にしかないため、スピーカーを耳に当てた際にマイクが口の位置からずれるという不具合があった。
【課題を解決するための手段】
【０００４】しかし、スピーカー２を上部コーナーに位置させることにより、マイク３と口の位置がより近い状態で通話することが可能となることが本発明の特徴。また、左右どちらの手で保持しても耳に近いコーナーのスピーカーから音が発するようにスイッチで切替えることを可能とするもの。なお、スイッチは、手動によるもの、スピーカーの近傍にあり、接触や体温を感知し切り替わるものを含む。
【考案の効果】
【０００５】相手の話が騒音の大きい場所でも聞き取り易くなるとともに、より小さい声での通話が可能となる。
【考案を実施するための最良の形態】
【０００６】スピーカーを耳に当て易い位置（上部コーナー）に設けるとともに、マイクを口により近くなるように配置する。
【実施例】
【０００７】携帯電話の上部コーナーにスピーカーを配置するとともに、上部コーナーの形を耳に当てやするものに変形する。
【図面の簡単な説明】
【０００８】
【図１】当該携帯電話を示した概要図である。
【符号の説明】
１    携帯電話（本体）
２    スピーカー
３    マイク
４    切り替えスイッチ
【図１】
0003111147.tif 000003
【手続補正書】
【提出日】平成16年10月23日(2004.10.23)
【手続補正１】
【補正対象書類名】実用新案登録請求の範囲
【補正対象項目名】全文
【補正方法】変更
【補正の内容】
【実用新案登録請求の範囲】
【請求項１】
（１）携帯電話のスピーカー位置が従来の携帯電話上部中央ではなく両コーナーにあり、同スピーカーからの発声をスイッチにより切替えることが可能な携帯電話。